(57)【要約】      （修正有）【課題】小型かつ簡単な構成で見映えのよいイルミネーションを実現する。【解決手段】発光体としてのＬＥＤ１０から距離をあけてＬＥＤ１０を囲む複数の平坦な内面１４を有する第１及び第２導光部材１２，１３を設ける。内面を透過した光が、内面１４から所定の距離Ｌをあけて配置された第２導光部材１３の反射面で反射される反射面１７を形成する。【選択図】図１
2014045430.tif 000002
【特許請求の範囲】
【請求項１】
発光体と、
上記発光体から距離をあけて該発光体を囲む内面を有する導光部材と、
上記導光部材に形成され、上記内面から所定の距離をあけて配置された反射面と、
上記導光部材が取り付けられる筐体とを備えている
ことを特徴とする携帯端末。
【請求項２】
請求項１に記載の携帯端末において、
上記導光部材は、それぞれ複数の平坦な内面を有する板状の第１導光部材と第２導光部材とで構成され、
上記第１導光部材と上記第２導光部材との間に上記発光体に接続された配線が狭持されている
ことを特徴とする携帯端末。
【請求項３】
請求項２に記載の携帯端末において、
上記発光体は、透明又は半透明のフレキシブル基板の一方の面にのみ配置されたＬＥＤである
ことを特徴とする携帯端末。
【請求項４】
請求項１乃至３のいずれか１つに記載の携帯端末において、
上記内面は、透過率を低下させるコーティングが施されている
ことを特徴とする携帯端末。
【発明の詳細な説明】
【技術分野】
【０００１】
本発明は、発光体を囲む導光部材を有する携帯端末に関するものである。
【背景技術】
【０００２】
従来より、携帯電話機などの携帯端末は、電話の受信時などに光らせた発光体からの光を導光部材で導いて視認性を高めるようにしている。
【０００３】
例えば、特許文献１に示される発光装置では、ＬＥＤを複数の頂点が中心部から一定の距離をとる多面体よりなる導光体で覆っている。この導光材の周りを笠部材で覆い、笠部材の内部があたかも透明材で満たされている印象を与えるようにしている。
【先行技術文献】
【特許文献】
【０００４】
【特許文献１】特開２００９−１２９５４６号公報
【発明の概要】
【発明が解決しようとする課題】
【０００５】
しかしながら、上記特許文献１のような導光体は、照明器具など大きさの制約のないものには適切であるが、携帯端末のように設置スペースが限られているものには適用できない。また、ＬＥＤが導光体の中心になく、下方から見たときに明るさの中心がずれてしまう。
【０００６】
本発明は、かかる点に鑑みてなされたものであり、その目的とするところは、小型かつ簡単な構成で見映えのよいイルミネーションを実現することにある。
【課題を解決するための手段】
【０００７】
上記の目的を達成するために、この発明では、発光体を導光部材の内面で囲むとともに、この内面から距離をあけて導光部材に反射面を設けた。
【０００８】
具体的には、第１の発明では、
発光体と、
上記発光体から距離をあけて該発光体を囲む内面を有する導光部材と、
上記導光部材に形成され、上記内面から所定の距離をあけて配置された反射面と、
上記導光部材が取り付けられる筐体とを備えている。
【０００９】
上記の構成によると、内面を透過した光が、内面から所定の距離をあけて配置された導光体の反射面で反射されることにより、発光体が浮かんで見えるので見映えがよい。
【００１０】
第２の発明では、第１の発明において、
上記導光部材は、それぞれ複数の平坦な内面を有する板状の第１導光部材と第２導光部材とで構成され、
上記第１導光部材と上記第２導光部材との間に上記発光体に接続された配線が狭持されている。
【００１１】
上記の構成によると、導光部材を板状の２つの部材に分割することで、その内部に発光体及びその配線を配置しやすくなると共に、コンパクトな構成が可能となる。また、導光体が複数の平坦な内面を有するので、発光体から発せされる光は複雑に反射を繰り返し、配線による陰をなくすことができてさらに見映えがよい。さらに内面を透過した光が、内面から所定の距離をあけて配置された導光体の反射面で反射されることにより、あたかも複数の平坦な内面よりなる多面体が浮かんで見えるので見映えがよい。
【００１２】
第３の発明では、第２の発明において、
上記発光体は、透明又は半透明のフレキシブル基板の一方の面にのみ配置されたＬＥＤである。
【００１３】
上記の構成によると、透明又は半透明のフレキシブル基板により、発光体であるＬＥＤを容易に設置できる。そして、導光体が複数の平坦な内面を有するため、ＬＥＤから発せされる光は複雑に反射を繰り返し、フレキシブル基板の一方側の面にだけＬＥＤを設けてもＬＥＤの裏側に陰ができにくい。
【００１４】
第４の発明では、第１乃至第３のいずれか１つの発明において、
上記内面は、透過率を低下させるコーティングが施されている。
【００１５】
上記の構成によると、コーティングにより、内面での透過率を適度に調整して発光体の直視を簡単に防止することができると共に、色彩を追加することで好みの光が得られる。
【発明の効果】
【００１６】
以上説明したように、本発明によれば、導光部材に発光体から距離をあけて発光体を囲む内面を形成し、これら内面から所定の距離をあけて反射面を設けたことにより、小型かつ簡単な構成で見映えのよいイルミネーションを実現することができる。
【図面の簡単な説明】
【００１７】
【図１】図２のＩ−Ｉ線拡大断面図である。
【図２】本発明の実施形態に係る携帯電話機を正面側から見た斜視図である。
【図３】携帯電話機を正面側から見た分解斜視図である。
【図４】携帯電話機を背面側から見た分解斜視図である。
【図５】透明フレキシブル基板を示し、（ａ）が正面側から見た拡大斜視図であり、（ｂ）が背面側から見た拡大斜視図である。
【図６】第１導光部材を背面側から見た拡大斜視図である。
【図７】第２導光部材を正面側から見た拡大斜視図である。
【発明を実施するための形態】
【００１８】
以下、本発明の実施形態を図面に基づいて説明する。
【００１９】
図１〜図４は本発明の実施形態の携帯端末としての携帯電話機１を示し、この携帯電話機１は、正面側に表示部２が嵌め込まれる正面側キャビネット３と、その背面側を覆う背面側キャビネット４とを備えている。さらに背面側キャビネット４の背面がリアカバー５（図１及び図２では省略）で覆われている。
【００２０】
携帯電話機１の下端には、発光体としてのＬＥＤ１０が設けられている。ＬＥＤ１０は、図５に示す透明な樹脂基板内に配線が形成された透明フレキシブル基板１１の正面側に貼り付けられている。なお、ＬＥＤ１０は、透明フレキシブル基板１１の正面ではなく、背面に設けたり、両面に設けたりしてもよい。
【００２１】
ＬＥＤ１０は、図６に示す正面側の第１導光部材１２と、図７に示す背面側の第２導光部材１３とで覆われている。第１導光部材１２と第２導光部材１３とは、いずれも左右に延びる板状であり、携帯電話機１の下端において貼り合わせた状態でそれぞれ外観に現れている。図１に示すように、第１導光部材１２の上端に設けた凹部１２ａを表示部２のガラスパネル２ａで押さえ付けることで、第１導光部材１２が固定されている。第１導光部材１２及び第２導光部材１３は、例えば、透明な樹脂成形品よりなる。
【００２２】
そして、第１導光部材１２及び第２導光部材１３は、それぞれＬＥＤ１０から距離をあけてＬＥＤ１０を囲む複数の平坦な内面１４を有し、透明フレキシブル基板１１を狭持した状態で、ＬＥＤ１０を例えば六面体状の空間を形成する内面１４で囲んでいる。内面１４は、透過率を低下させるコーティングが施されている。本実施形態では、特にＬＥＤ１０側の第１導光部材１２に多くの内面１４を配置している。例えば、内面１４の全面が蒸着によりコーティングが施され、適度な透過と反射とを行うようになっている。
【００２３】
図３及び図４に示すように、透明フレキシブル基板１１の正面と第１導光部材１２とは、透明の第１両面テープ１５で接着され、透明フレキシブル基板１１の背面と第２導光部材１３とは、透明の第２両面テープ１６で接着されている。第１両面テープ１５のＬＥＤ１０に対応する部分は、開口１５ａが形成され、ＬＥＤ１０に接触しないようになっている。第１及び第２両面テープ１５，１６は、防水テープよりなり、第１導光部材１２と第２導光部材１３との間から水等の液体が浸入しないようになっている。なお、第１及び第２両面テープ１５，１６は、半透明であってもよい。このように導光部材が２分割されているので、その内部にＬＥＤ１０及び透明フレキシブル基板１１を配置しやすくなっている。
【００２４】
また、図１及び図５に示すように、第１及び第２導光部材１２，１３の合わせ面から延びる透明フレキシブル基板１１の延長部１１ａの基端側は、矩形枠状のゴム等よりなる防水パッチ１８で覆われている。この防水パッチ１８により、液体がさらに内部に浸入しにくくなっている。延長部１１ａは、図示しないメイン基板に接続されている。
【００２５】
そして、図１に示すように、第２導光部材１３の正面側キャビネット３と背面側キャビネット４との接触面は、反射面１７として機能している。側面から見たときに反射面１７は、奥側に向かって下方へ傾斜する適度な傾斜角を有し、その正面側の基端１７ａと第２導光部材１３の内面の上側基端１４ａとの距離Ｌは、携帯電話機１の下方から見たときに、反射した光が内面１４とできるだけ重ならない距離だけ確保されている。
【００２６】
このように構成した携帯電話機１においてＬＥＤ１０を発光させると、図１に矢印で示すように、その光は、第１導光部材１２の内面において一部が反射され、一部が透過する。反射した光は、第２導光部材の内面１４に至り、再び一部が反射される。この反射した光がＬＥＤ１０の裏側にも向かうので、透明フレキシブル基板１１の正面にのみＬＥＤ１０を設けていてもＬＥＤ１０の陰が生じず見映えがよい。
【００２７】
そして、第２導光部材１３の内面１４を透過した光は、第２導光部材１３の反射面１７に至り、全反射される。この反射光を見ることにより、あたかも複数の平坦な内面１４よりなる多面体が浮かんで見えるので見映えがよい。
【００２８】
内面１４には、透過率を低下させるコーティングが施されているので、ＬＥＤ１０の直視を簡単に防止することができ、眩しさを感じることはない。また、色彩を加えることで好みの光も得られる。
【００２９】
したがって、本実施形態に係る携帯端末によると、小型かつ簡単な構成で見映えのよいイルミネーションを実現することができる。
【００３０】
（その他の実施形態）
本発明は、上記実施形態について、以下のような構成としてもよい。
【００３１】
すなわち、上記実施形態では、第１及び第２導光部材１２，１３は、それぞれ平坦な複数の内面１４を有するようにしたが、それぞれ湾曲した、例えば球面状の内面を有していてもよい。この場合には、反射が起こりにくいので、内面のコーティングで適度に透過率を低下させて眩しさを軽減すると共に、ＬＥＤ１０の陰を隠したい場合には、透明フレキシブル基板１１の表裏両面にＬＥＤ１０を設ければよい。この場合でも、反射面１７で反射された光を見ることにより、あたかも球体が浮かんでいるように見える。
【００３２】
上記実施形態では、ＬＥＤ１０は、透明フレキシブル基板１１上に設けたが、第１導光部材１２と第２導光部材１３との間に極めて細い導線を通して配置してもよい。
【００３３】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３４】
なお、以上の実施形態は、本質的に好ましい例示であって、本発明、その適用物や用途の範囲を制限することを意図するものではない。
【産業上の利用可能性】
【００３５】
以上説明したように、本発明は、光体を囲む導光部材を有する携帯電話機などの携帯端末について有用である。
【符号の説明】
【００３６】
１      携帯電話機（携帯端末）
２      表示部
２ａ    ガラスパネル
３      正面側キャビネット（筐体）
４      背面側キャビネット（筐体）
５      リアカバー
１０      ＬＥＤ（発光体）
１１      透明フレキシブル基板（配線）
１２      第１導光部材
１３      第２導光部材
１４      内面
１４ａ    上側基端
１５      第１両面テープ
１５ａ    開口
１６      第２両面テープ
１７      反射面
１７ａ    基端
１８      防水パッチ
【図１】
2014045430.tif 000003
【図２】
2014045430.tif 000004
【図３】
2014045430.tif 000005
【図４】
2014045430.tif 000006
【図５】
2014045430.tif 000007
【図６】
2014045430.tif 000008
【図７】
2014045430.tif 000009